【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
所定の間隔を設けて面方向が平行に配置される複数のフィンと、複数の前記フィンを貫通する複数の伝熱管と、を有する熱交換部と、
前記伝熱管と他の前記伝熱管とを接続する複数の接続管と、を備え、
複数の前記フィンは、上部領域と、下部領域と、を有し、
複数の前記伝熱管は、前記上部領域を貫通する複数の上部伝熱管と、前記下部領域を貫通する複数の下部伝熱管と、を有し、
前記接続管を介して、前記上部伝熱管及び前記下部伝熱管の一方から他方に冷媒が導かれ、
複数の前記接続管は、前記上部伝熱管との接続位置の高さが高いほど、前記下部伝熱管との接続位置の高さが低く、
前記熱交換部が凝縮器として機能する場合において、
前記上部伝熱管との接続位置の高さが、前記上部領域において（２ｎ−１）番目に高く、前記下部伝熱管との接続位置の高さが、前記下部領域において（２ｎ−１）番目に低い前記接続管を介して、前記上部伝熱管から前記下部伝熱管に冷媒が導かれ、
前記上部伝熱管との接続位置の高さが、前記上部領域において２ｎ番目に高く、前記下部伝熱管との接続位置の高さが、前記下部領域において２ｎ番目に低い前記接続管を介して、前記下部伝熱管から前記上部伝熱管に冷媒が導かれること
を特徴とする熱交換器。
ここで、ｎは自然数である。
【請求項２】
所定の間隔を設けて面方向が平行に配置される複数のフィンと、複数の前記フィンを貫通する複数の伝熱管と、を有する熱交換部と、
前記伝熱管と他の前記伝熱管とを接続する複数の接続管と、を備え、
複数の前記フィンは、上部領域と、下部領域と、を有し、
複数の前記伝熱管は、前記上部領域を貫通する複数の上部伝熱管と、前記下部領域を貫通する複数の下部伝熱管と、を有し、
前記接続管を介して、前記上部伝熱管及び前記下部伝熱管の一方から他方に冷媒が導かれ、
前記熱交換部が凝縮器として機能する場合において、
前記上部伝熱管との接続位置の高さが、前記上部領域において（２ｎ−１）番目に高く、前記下部伝熱管との接続位置の高さが、前記下部領域において２ｎ番目に高い前記接続管を介して、前記上部伝熱管から前記下部伝熱管に冷媒が導かれ、
前記上部伝熱管との接続位置の高さが、前記上部領域において２ｎ番目に高く、前記下部伝熱管との接続位置の高さが、前記下部領域において（２ｎ−１）番目に高い前記接続管を介して、前記下部伝熱管から前記上部伝熱管に冷媒が導かれること
を特徴とする熱交換器。
ここで、ｎは自然数である。
【請求項３】
所定の間隔を設けて面方向が平行に配置される複数のフィンと、複数の前記フィンを貫通する複数の伝熱管と、を有する熱交換部と、
前記伝熱管と他の前記伝熱管とを接続する複数の接続管と、を備え、
複数の前記フィンは、上部領域と、下部領域と、を有し、
複数の前記伝熱管は、前記上部領域を貫通する複数の上部伝熱管と、前記下部領域を貫通する複数の下部伝熱管と、を有し、
前記接続管を介して、前記上部伝熱管及び前記下部伝熱管の一方から他方に冷媒が導かれ、
複数の前記フィンには、鉛直方向に配列された複数の孔が複数列設けられ、
前記上部領域の複数の前記孔には、それぞれ、前記上部伝熱管が貫通し、
前記下部領域の複数の前記孔には、それぞれ、前記下部伝熱管が貫通し、
前記熱交換部が凝縮器として機能する場合において、
前記複数列のうち、前記熱交換部に向けて空気を送るファンとは反対側の列の前記上部伝熱管を通流する冷媒は、前記ファン側の列の前記上部伝熱管に導かれた後、前記接続管を介して、前記ファン側の列の前記下部伝熱管に導かれ、
前記複数列のうち、前記ファンとは反対側の列の前記下部伝熱管を通流する冷媒は、前記ファン側の列の前記下部伝熱管に導かれた後、前記接続管を介して、前記ファン側の列の前記上部伝熱管に導かれること
を特徴とする熱交換器。
【請求項４】
所定の間隔を設けて面方向が平行に配置される複数のフィンと、複数の前記フィンを貫通する複数の伝熱管と、を有する熱交換部と、
前記伝熱管と他の前記伝熱管とを接続する複数の接続管と、を備え、
複数の前記フィンは、上部領域と、下部領域と、を有し、
複数の前記伝熱管は、前記上部領域を貫通する複数の上部伝熱管と、前記下部領域を貫通する複数の下部伝熱管と、を有し、
前記接続管を介して、前記上部伝熱管及び前記下部伝熱管の一方から他方に冷媒が導かれ、
複数の前記フィンには、鉛直方向に配列された複数の孔が複数列設けられ、
前記上部領域の複数の前記孔には、それぞれ、前記上部伝熱管が貫通し、
前記下部領域の複数の前記孔には、それぞれ、前記下部伝熱管が貫通し、
前記熱交換部が凝縮器として機能する場合において、
前記複数列のうち、前記熱交換部に向けて空気を送るファンとは反対側の列の前記上部伝熱管を通流する冷媒は、前記接続管を介して、前記ファンとは反対側の列の前記下部伝熱管に導かれた後、前記ファン側の列の前記下部伝熱管に導かれ、
前記複数列のうち、前記ファンとは反対側の列の前記下部伝熱管を通流する冷媒は、前記接続管を介して、前記ファンとは反対側の列の前記上部伝熱管に導かれた後、前記ファン側の列の前記上部伝熱管に導かれること
を特徴とする熱交換器。
【請求項５】
前記伝熱管は、水平方向に複数の孔が配列されてなる多孔管であること
を特徴とする請求項１から請求項４のいずれか一項に記載の熱交換器。
【請求項６】
圧縮機と、室外熱交換器と、少なくとも一つの膨張弁と、室内熱交換器と、が環状に順次接続され、冷凍サイクルで冷媒が循環する冷媒回路を備え、
前記室外熱交換器及び前記室内熱交換器のうち一方又は両方は、請求項１から請求項４のいずれか一項に記載の熱交換器であること
を特徴とする空気調和機。
【手続補正２】
【補正対象書類名】明細書
【補正対象項目名】０００７
【補正方法】変更
【補正の内容】
【０００７】
前記した課題を解決するために、本発明に係る熱交換器は、所定の間隔を設けて面方向が平行に配置される複数のフィンと、複数の前記フィンを貫通する複数の伝熱管と、を有する熱交換部と、前記伝熱管と他の前記伝熱管とを接続する複数の接続管と、を備え、複数の前記フィンは、上部領域と、下部領域と、を有し、複数の前記伝熱管は、前記上部領域を貫通する複数の上部伝熱管と、前記下部領域を貫通する複数の下部伝熱管と、を有し、前記接続管を介して、前記上部伝熱管及び前記下部伝熱管の一方から他方に冷媒が導かれ、複数の前記接続管は、前記上部伝熱管との接続位置の高さが高いほど、前記下部伝熱管との接続位置の高さが低く、前記熱交換部が凝縮器として機能する場合において、前記上部伝熱管との接続位置の高さが、前記上部領域において（２ｎ−１）番目に高く、前記下部伝熱管との接続位置の高さが、前記下部領域において（２ｎ−１）番目に低い前記接続管を介して、前記上部伝熱管から前記下部伝熱管に冷媒が導かれ、前記上部伝熱管との接続位置の高さが、前記上部領域において２ｎ番目に高く、前記下部伝熱管との接続位置の高さが、前記下部領域において２ｎ番目に低い前記接続管を介して、前記下部伝熱管から前記上部伝熱管に冷媒が導かれることを特徴とする。
また、本発明に係る熱交換器は、前記熱交換部が凝縮器として機能する場合において、前記上部伝熱管との接続位置の高さが、前記上部領域において（２ｎ−１）番目に高く、前記下部伝熱管との接続位置の高さが、前記下部領域において２ｎ番目に高い前記接続管を介して、前記上部伝熱管から前記下部伝熱管に冷媒が導かれ、前記上部伝熱管との接続位置の高さが、前記上部領域において２ｎ番目に高く、前記下部伝熱管との接続位置の高さが、前記下部領域において（２ｎ−１）番目に高い前記接続管を介して、前記下部伝熱管から前記上部伝熱管に冷媒が導かれることを特徴とする。
また、本発明に係る熱交換器において、複数の前記フィンには、鉛直方向に配列された複数の孔が複数列設けられ、前記上部領域の複数の前記孔には、それぞれ、前記上部伝熱管が貫通し、前記下部領域の複数の前記孔には、それぞれ、前記下部伝熱管が貫通し、前記熱交換部が凝縮器として機能する場合において、前記複数列のうち、前記熱交換部に向けて空気を送るファンとは反対側の列の前記上部伝熱管を通流する冷媒は、前記ファン側の列の前記上部伝熱管に導かれた後、前記接続管を介して、前記ファン側の列の前記下部伝熱管に導かれ、前記複数列のうち、前記ファンとは反対側の列の前記下部伝熱管を通流する冷媒は、前記ファン側の列の前記下部伝熱管に導かれた後、前記接続管を介して、前記ファン側の列の前記上部伝熱管に導かれることを特徴とする。
また、本発明に係る熱交換器において、複数の前記フィンには、鉛直方向に配列された複数の孔が複数列設けられ、前記上部領域の複数の前記孔には、それぞれ、前記上部伝熱管が貫通し、前記下部領域の複数の前記孔には、それぞれ、前記下部伝熱管が貫通し、前記熱交換部が凝縮器として機能する場合において、前記複数列のうち、前記熱交換部に向けて空気を送るファンとは反対側の列の前記上部伝熱管を通流する冷媒は、前記接続管を介して、前記ファンとは反対側の列の前記下部伝熱管に導かれた後、前記ファン側の列の前記下部伝熱管に導かれ、前記複数列のうち、前記ファンとは反対側の列の前記下部伝熱管を通流する冷媒は、前記接続管を介して、前記ファンとは反対側の列の前記上部伝熱管に導かれた後、前記ファン側の列の前記上部伝熱管に導かれることを特徴とする。